(57)【要約】【課題】雨水の飛散の防止をしながら筒状体の外周面にほぼ均一に雨水を流下させて、従来にない雨水の流下する様子を鑑賞できる。集水装置内部に塵が詰まっても簡単に掃除して除去できる。【解決手段】軒樋１の雨水を集めて縦樋に流す集水装置である。軒樋１の排水口に取付ける本体部９と、本体部９に対して着脱自在に取付けられる着脱下部１０とを備え、本体部９に筒状体３よりなる縦樋の上端部を支持する縦樋支持部１５と、軒樋１からの雨水を集水ガイド部２５側に流す排水通路部１６とを備える。着脱下部１０に排水通路部１６から流入した雨水をガイドして筒状体３の外周面に向け流す集水ガイド部２５を設ける。【選択図】図１
2010084442.tif 000002
【特許請求の範囲】
【請求項１】
軒樋の雨水を集めて縦樋に流す集水装置であって、軒樋の排水口に取付ける本体部と、本体部に対して着脱自在に取付けられる着脱下部とを備え、本体部に筒状体よりなる縦樋の上端部を支持する縦樋支持部と、軒樋からの雨水を集水ガイド部側に流す排水通路部とを備え、着脱下部に排水通路部から流入した雨水をガイドして筒状体の外周面に向け流す集水ガイド部を設けて成ることを特徴とする集水装置。
【請求項２】
着脱下部に設けた集水ガイド部が、内側に向かった先端側が下となるように傾斜した多数のくし部よりなり、くし部間がスリットとなり且つ多数のくし部の先端で囲まれる部分が筒状体のを嵌挿する縦樋嵌挿部となっていることを特徴とする請求項１記載の集水装置。
【請求項３】
多数のくし部は、平面視において内側への突出長さの異なるものが混在していることを特徴とする請求項２記載の集水装置。
【発明の詳細な説明】
【技術分野】
【０００１】
本発明は、軒樋を流れる雨水を集水して縦樋に流すための集水装置に関するものである。
【背景技術】
【０００２】
軒樋を流れる雨水を集水して縦樋に流すための集水装置は、特許文献１に示されたようなものである。
【０００３】
この従来の集水装置は、図１４に示すようなもので、上部に内筒部７０の上部に落ち葉避け部７１を形成し且つ上鍔部７２を形成した上部材７３と、下鍔部７４を形成した外筒部７５とで構成してあり、軒樋１の排水口８に上部材７３の内筒部７０を挿通して上鍔部７２を軒樋１の底部上面に当接し、内筒部７０に外筒部７５を螺合して下鍔部７４を軒樋１の底部下面に押し当てることで、集水装置を軒樋１に取付け、外筒部７５に縦樋となる筒状体３の上端部を嵌め込むようになっている。
【０００４】
そして、軒樋１内を流れる雨水を落ち葉避け部７１を介して集水装置内に流入させ、集水装置を経て全量を筒状体３内に流すようになっている。
【０００５】
上記の従来例にあっては、軒樋１の雨水を集水装置で集水して全量を筒状体３内に流すので、雨水が流下する様子が見えず、雨水の流下を鑑賞することができるような機能などなく、商品価値が乏しかった。また、従来例にあっては、集水装置内部で塵が詰まった場合、除去するのが面倒であった。
【０００６】
そこで、本発明者は、本発明に至る過程で、集水装置で集水した雨水を筒状体の外面に沿って流すことを考えたが、この場合、いかにして集水装置で集水した雨水を飛散させることなく筒状体の外周面に略均一に流すかということと、また、集水装置内で塵が詰まった場合、筒状体の外周面に略均一に流すことができず、この場合にいかにして簡単に塵の除去ができるかということが問題であることが判明した。
【特許文献１】特開平８−１９９７４９号公報
【発明の開示】
【発明が解決しようとする課題】
【０００７】
本発明は上記の従来の問題点に鑑みて発明したものであって、雨水の飛散の防止をしながら筒状体の外周面にほぼ均一に雨水を流下させて、従来にない雨水の流下する様子を鑑賞でき、しかも、集水装置内部に塵が詰まっても簡単に掃除して除去できる集水装置を提供することを課題とするものである。
【課題を解決するための手段】
【０００８】
上記課題を解決するために本発明に係る集水装置は、軒樋１の雨水を集めて縦樋に流す集水装置であって、軒樋１の排水口に取付ける本体部９と、本体部９に対して着脱自在に取付けられる着脱下部１０とを備え、本体部９に筒状体３よりなる縦樋の上端部を支持する縦樋支持部１５と、軒樋１からの雨水を集水ガイド部２５側に流す排水通路部１６とを備え、着脱下部１０に排水通路部１６から流入した雨水をガイドして筒状体３の外周面に向け流す集水ガイド部２５を設けて成ることを特徴とするものである。
【０００９】
このような構成とすることで、軒樋１から集水装置５の排水通路部１６に流入した雨水を集水ガイド部２５により縦樋を構成する筒状体３の外周面側にガイドして流すことで、筒状体３の外周面に沿って雨水を流下させることができる。また、集水装置５内において集水ガイド部２５に塵が目詰まりしても、着脱下部１０を本体部９から外すことで、簡単に集水ガイド部２５に溜まった塵を除去して目詰まりを解消できる。
【００１０】
また、着脱下部１０に設けた集水ガイド部２５が、内側に向かった先端側が下となるように傾斜した多数のくし部２６よりなり、くし部２６間がスリット２８となり且つ多数のくし部２６の先端で囲まれる部分が筒状体３を嵌挿する縦樋嵌挿部２７となっていることが好ましい。
【００１１】
このような構成とすることで、集水装置５の排水通路部１６に流入した雨水を複数のくし部２６の上面と複数のスリット２８に沿ってガイドしながら筒状体３の外周面側に流すことができて、筒状体３の外周面にほぼ均一に雨水を流すことが可能となる。
【００１２】
また、多数のくし部２６は、平面視において内側への突出長さの異なるものが混在していることが好ましい。
【００１３】
このような構成とすることで、突出長さの長いくし部２６ａの先端で筒状体３の外周面を支持し、突出長さの短いくし部２６ｂの先端と筒状体３の外面との間に隙間を形成してくし部２６の上面に沿って流れてくる雨水をこの隙間から筒状体３の外面に流すことができ、雨水の飛散を防止しながら、確実に雨水を筒状体３の外面に流すことができる。
【発明の効果】
【００１４】
本発明は、上記のように、本体部に筒状体よりなる縦樋の上端部を支持する縦樋支持部と、軒樋からの雨水を集水ガイド部側に流す排水通路部とを備え、着脱下部に排水通路部から流入した雨水をガイドして筒状体の外周面に向け流す集水ガイド部を設けてあるので、軒樋から流れる雨水を集水ガイド部でガイドして飛散を防止しながら筒状体の外周面に確実に流し、雨水が筒状体に沿って流下する様子を鑑賞できるようにするための集水装置を提供できる。また、集水ガイド部を有する着脱下部が軒樋に取付けられる本体部に対して着脱自在であるため、集水装置内で塵が詰まっても、着脱下部を本体部に対して外すことで、簡単に掃除ができる。
【発明を実施するための最良の形態】
【００１５】
以下、本発明を添付図面に示す実施形態に基いて説明する。
【００１６】
本発明の流水鑑賞雨樋装置６は、軒樋１の雨水を集める集水装置２と、筒状体３よりなる縦樋と、下方で流下水を集めて排水管４に排出させる排水装置５と、塵流入防止用カバー３０とで構成してある。
【００１７】
図６乃至図１０には集水装置２を構成する各部品が示してあり、この集水装置２は、軒樋１の排水口８に取付ける本体部９と、本体部９に対して着脱自在に取付けられる着脱下部１０とを備えている。
【００１８】
本体部９は本体上部９ａと、本体下部９ｂとで構成してある。
【００１９】
本体上部９ａは図６、図７に示すように、外周部に雄ねじ部１１を有する筒部１２の上端開口部に外側方に向けて鍔部１３を設け、筒部１２の内周面から内方に突出した縦板状の複数の突片部１４の上端部を筒部１２から上方に突出させてある。また、隣合う突片部１４の間が排水通路部１６となっている。
【００２０】
複数の突片部１４の先端は、筒部１２内に縦樋支持部１５に縦樋である筒状体３の上端部を嵌め込んだ際に、突片部１４の先端部が筒状体３の外面に当接して筒状体３を支持するようになっており、本実施形態においては複数の突片部１４の先端部で縦樋支持部１５が構成してある。
【００２１】
複数の突片部１４の上端部はオーバーフロー部となる中央筒部１７に一体に連設してあり、該中央筒部１７は上記のように縦樋支持部１５に筒状体３の上端部を嵌め込んで支持した際に筒状体３の上端部内に連通するようになっており、中央筒部１７の上部は下部よりも径が大きくなっている。
【００２２】
本体下部９ｂは図８に示すように、外側筒部１８の上端部と内側筒部１９の上端部とを一体に連設すると共に外側筒部の上端外周から外側方に向けて鍔部２０を設け、内側筒部１９の内周面に雌ねじ部２１を設け、内側筒部１９の下部と外側筒部１８との間に下方が開口した嵌め込み凹所２２が形成してある。
【００２３】
着脱下部１０は図９、図１０に示すように、内周に雌ねじ部２３を有する上筒部２４の下端部に集水ガイド部２５を設け、更に、上筒部２４の下端部から集水ガイド部２５の外方を覆うようにカバー筒部２４ａを下方に向けて突設してある。
【００２４】
集水ガイド部２５は、図９に示すように、上筒部２４の下端から内側に向かって先端側が下と成るように傾斜した逆円錐台形状をした逆円錐台筒部２９と逆円錐台筒部２９の下端縁部の周部から先端側が下となるように傾斜した多数のくし部２６を突出して構成してあり、くし部２６間が上下及び先端側に開口したスリット２８となっており、また、多数のくし部２６の先端で囲まれる部分が縦樋である筒状体３を嵌挿する縦樋嵌挿部２７となっている。
【００２５】
上記くし部２６間のスリット２８のスリット巾は１．５〜３ｍｍとなっている。
【００２６】
また、多数のくし部２６は、図９に示すように、平面視において内側への突出長さの異なるものが混在しており、図９の実施形態では突出長さの長いくし部２６ａと突出長さの短いくし部２６ｂとが周方向に交互に設けてある。突出長さの長いくし部２６ａは、縦樋嵌挿部２７に筒状体３を嵌挿した状態で突出長さの長いくし部２６ａの先端が筒状体３の外面に当接するか又は両者の間に１ｍｍ以下の隙間が生じるように設定してあり、また、突出長さの短いくし部２６ｂは、縦樋嵌挿部２７に筒状体３を嵌挿した状態で突出長さの短いくし部２６ｂの先端と筒状体３の外面との間に１．５〜３ｍｍの隙間が生じるように設定してある。
【００２７】
カバー筒部２４ａの下端はくし部２６の下端と同じ高さ又はくし部２６下端よりも下となっている。
【００２８】
ここで、くし部２６間のスリット２８のスリット巾を１．５〜３ｍｍとし、突出長さの短いくし部２６ｂの先端と筒状体３の外面との間に１．５〜３ｍｍの隙間が生じるように設定したのは、スリット２８、隙間を通して筒状体３の外周面にほぼ均一に雨水を流すことができるようにするためである。
【００２９】
スリット２８、隙間の巾が３ｍｍを超えると、スリット２８を流れる雨水がスリット２８に沿って筒状体３側に流れることなくスリット２８の上部から直接スリット２８を通過して落下して飛散したり、あるいは、筒状体３の外周面の周方向の一部を集中して雨水が流下して周方向にほぼ均一に雨水を流下させることができないためである。また、スリット２８、隙間の巾が１．５ｍｍに満たないと、スリット２８や隙間がつまり易く、スムーズに筒状体３の外周面に雨水を流すことができないのでスリット２８、隙間の巾が１．５ｍｍ以上確保する必要がある。
【００３０】
上記の構成の集水装置２は、軒樋１の排水口８に取付ける。
【００３１】
すなわち、排水口８に上方から本体上部９ａの筒部１２を挿入して、筒部１２を軒樋１の下方に突出させると共に鍔部１３を軒樋１の底部上面に当接する。この状態で、筒部１２の雄ねじ部１１に本体下部９ｂの内側筒部１９の雌ねじ部２１を螺合し、鍔部２０を軒樋１の底部下面に押し当て、鍔部１３、２０で軒樋１の底部を上下より挟着する。この状態で、雌ねじ部２１は雄ねじ部１１の上部に螺合される。このようにして本体上部９ａと本体下部９ｂとよりなる本体部９を軒樋１の排水口８部分に取付ける。
【００３２】
次に、着脱下部１０の上筒部２４の雌ねじ部２３を本体上部９ａの雄ねじ部１１の下部に着脱自在に螺合し、着脱下部１０の上筒部２４の上端部を本体下部９ｂの嵌め込み凹所２２に嵌め込むことで、着脱下部１０を本体部９に対して着脱自在に取付ける。
【００３３】
上記のように軒樋１の排水口８に集水装置２を取付けるのであるが、軒樋１の排水口８は更に軒樋１内において塵流入防止用カバー３０で覆われるようになっている。
【００３４】
塵流入防止用カバー３０は図１２に示すようなもので、下面が開口し、側周面及び上面に多数の通水用開口３１を設けあり、更に、上面部の下面の中央から下方に向けて弾性を有する係止脚３３を突設して構成してある。
【００３５】
上記塵流入防止用カバー３０は軒樋１内において、集水装置２を取付けた排水口８を覆うように配設されるもので、係止脚３３を中央筒部１７に挿入して係止脚３３の下端の係止部３４を中央筒部１７の下端開口縁に着脱自在に係止することで取付けるようになっている。
【００３６】
塵流入防止用カバー３０に設けた通水用開口３１は開口巾が１．５ｍｍ〜３ｍｍに設定してある。
【００３７】
すなわち、従来から軒樋１の排水口８を覆う塵流入防止用カバーは、通水用開口の開口巾が５〜１５ｍｍ程度と大きく、落ち葉を避けることは可能であるが、巾あるいは径が５〜１５ｍｍ以下の塵等はそのまま流れるようにしている。
【００３８】
しかし、本発明のように筒状体３の外周面に沿って流下する雨水の様子を鑑賞することができるようにした流水鑑賞雨樋装置６においては、集水装置２で集水した雨水を筒状体３の外周面の周方向にほぼ均一に流す必要があり、このため、本発明においては前述のように、くし部２６間のスリット２８のスリット巾は１．５〜３ｍｍとし、突出長さの短いくし部２６ｂの先端と筒状体３の外面との間に１．５〜３ｍｍの隙間が生じるように設定したので、これに対応して、塵流入防止用カバー３０の通水用開口３１の開口巾を１．５ｍｍ〜３ｍｍに設定し、上記筒状体３の外周面に雨水をほぼ均一に流下させるためのスリット２８や隙間を塞ぐ大きさの塵（例えば、落ち葉、昆虫、粉塵、その他）が集水装置２内に流込まないようにし、スリット２８や隙間の目詰まりを抑制するようになっている。
【００３９】
塵流入防止用カバー３０の側周面及び上面には通水用開口３１よりも外方に突出する塵除け用突部３２が突出している。塵流入防止用カバー３０の側周面部のうち軒樋１の長手方向と交差する両側面に複数の塵除け用突部３２を突出した状態で、図１２（ａ）に示すように、両側面に突設した複数の塵除け用突部３２を結んだ仮想線が円弧状となるように構成してある。また、隣接する塵除け用突部３２間の間隔は上記通水用開口３１の開口巾よりも広く設定してあり、塵除け用突部３２の突出先端部は面取りがしてある。
【００４０】
これにより、例えば落ち葉などが塵除け用突部３２により集水装置２内に流れ込むのが防止されるが、両側面に突設した複数の塵除け用突部３２を結んだ仮想線が円弧状となるように構成してあるので、落ち葉が塵除け用突部３２の先端面に張り付くことがなく、また、雨水は落ち葉などが引っ掛かっても、引っ掛かっている部分以外の部分から通水用開口３１の開口巾よりも広い塵除け用突部３２間の空間に流れ込んで、上記開口巾の狭い通水用開口３１を通って滑らかに集水装置２内に流入することができる。
【００４１】
塵流入防止用カバー３０は、係止脚３３の下端の係止部３４と中央筒部１７の下端開口縁との係止を解除することで簡単に取り外して簡単に塵流入防止用カバー３０に引っ掛かった塵を除去することができる。ここで、係止部３４は矢尻形状をしているが、矢尻の先端部は返し部がなく、着脱を容易にしている。
【００４２】
また、塵流入防止用カバー３０が上記のように着脱自在であるため、集水装置２における中央筒部１７の形状を共通化することで、排水容量の異なる集水装置にも着脱自在に取付けることができる。
【００４３】
筒状体３よりなる縦樋は外面に処理が施してあるものを用いるのが好ましい。
【００４４】
筒状体３は上端部を集水装置２の多数のくし部２６の先端で囲まれる部分である縦樋嵌挿部２７に嵌挿し、更に縦樋支持部１５に嵌め込み、更に、最上端を嵌め込み凹所２２にはめ込んである。
【００４５】
また、排水装置５は図１１に示すようなもので、主体を構成する排水筒部３５には筒状体３よりも大径の孔を設けてあり、この孔の上端部が該孔の他の部分よりも更に大径の大径孔部３６となり、排水筒部３５の孔の上記大径孔部３６を除いた部分の内周から内方に向けて複数の縦板状をした内向き突部３７が突設してある。複数の内向き突部３７は上記孔の周方向に一定ピッチで突設してあって内向き突部３７間が排水用隙間４９となっている。
【００４６】
この複数の内向き突部３７の上下方向の上半分は下半分よりも突出長さが短くなっており、複数の内向き突部３７の上下方向の上半分の各先端は筒状体３の外径と同じ径の仮想円上に位置していて、該複数の内向き突部３７の上下方向の上半分の各先端で囲まれた部分が筒状体３の下端部を嵌め込むための下嵌め込み部３８となっている。また、内向き突部３７の上下方向の上半分の先端の下端と下半分の先端の上端とは段部３９で連続している。
【００４７】
排水筒部３５には下方に開口する下嵌め込み用凹部４０が形成してある。
【００４８】
排水装置５の上記下嵌め込み部３８には筒状体３の下端部がはめ込まれて支持される。この場合、筒状体３の下端面が段部３９に載置される。したがって、筒状体３の外周面に沿って流れた雨水は排水筒部３５の孔の内周部に突設した内向き突部３７間の排水用隙間４９を通って排水されることになる。
【００４９】
添付図面に示す実施形態では、排水筒部３５の下嵌め込み用凹部４０には筒体よりなる調整部材４１の上端部が嵌め込まれ、該調整部材４１の下端部に排水管４の上端が嵌め込まれるようになっている。
【００５０】
調整部材４１は図１、図３に示すように、上偏芯用部材５０と、下偏芯用部材５１とで構成してあり、上偏芯用部材５０は排水筒部３５の下嵌め込み用凹部４０に回転自在に嵌め込まれる嵌め込み筒部５２の下部に嵌め込み筒部５２に対して偏芯した接続筒部５３を一体に形成したものであり、下偏芯用部材５１は接続筒部５３に回転自在に嵌め込んで接続される被接続筒部５４の下部に被接続筒部５４に対して偏芯した排水管接続筒部５５とで構成してあり、排水管接続筒部５５に排水管４の上端を嵌め込むようになっている。
【００５１】
そして、上偏芯用部材５０の嵌め込み筒部５２を筒状体３に対して回転し、接続筒部５３に対して被接続筒部５４を回転し、排水管４に対して排水管接続筒部５５を回転することで、集水装置２に上端を接続した縦樋である筒状体３と排水管４とが平面視で位置ずれして芯ずれしている場合でも接続することができる。
【００５２】
もちろん、調整部材４１を用いることなく下嵌め込み用凹部４０に直接排水管４の上端部を嵌め込んでもよい。
【００５３】
上記のように組み合せ接続されることで構成される本発明の流水鑑賞雨樋装置６は、軒樋１を流れる雨水が塵流入防止用カバー３０の通水用開口３１から、集水装置２の排水通路部１６内に流入し、排水通路部１６から集水ガイド部２５に流れ込む。集水ガイド部２５に流れた雨水は一部が複数の下り傾斜したくし部２６上面に沿って筒状体３の外周面側に整流されながら流れると共に一部が複数のスリット２８を伝って筒状体３の外周面側に整流されながら流れ、くし部２６の先端と筒状体３の外面との間の隙間及びスリット２８の先端から筒状体３の外周面の周方向の略全周にわたって略均一に雨水が流れる。
【００５４】
このようにして筒状体３の上端部の外周面の周方向の略全周にわたって略均等に流れた雨水は、飛散することなく筒状体３の外周面の全周を薄い膜のようにして筒状体３の外周面に沿って滑らかに流下するものであり、従来の鎖樋では得られない飛散防止と、雨水が膜状になって筒状体３の外周面を流下する雨水の流下の様子を鑑賞できる。
【００５５】
この場合、くし部２６の先端と筒状体３の外面との間の隙間及びスリット２８の先端から筒状体３の外周面の周方向の略全周にわたって略均一に雨水が流れるとは言え、隙間及びスリット２８の先端から筒状体３に流れる雨水の微妙な変化により、図１３に示すように筒状体３の外周面を流れる雨水の膜に流紋Ａが生じ、筒状体３の外周面を膜状となって流下する雨水の流下の鑑賞効果を上げることができる。
【００５６】
筒状体３の外周面に前述のように親水処理加工が施してあると、筒状体３の外周面に沿って流下する雨水の飛散をより防止して外周面に沿って滑らかに流下させることができる。
【００５７】
筒状体３の外周面を膜状となって流下する雨水は排水装置５の排水用隙間４５に流れ、排水管４に流れ（調整部材４１がある場合は調整部材４１を介して排水管４に流れ）、排水される。
【００５８】
軒樋１内を流れる雨水が多くなり、塵流入防止用カバー３０を通過した雨水が中央筒部１７の上端を越えると、雨水の一部は中央筒部１７の上開口から流入し、中央筒部１７から直接筒状体３の上開口内に流入して筒状体３内を通り、排水管４に流れ（調整部材４１がある場合は調整部材４１を介して排水管４に流れ）、排水される。もちろん、この場合も、前述と同様にして筒状体３の外周面に沿って流下する。
【００５９】
このようにして、軒樋１を流れる雨水を集水装置２で集水して集水装置２に上端部を嵌め込み保持した筒状体３の外周面に沿って流下させ（軒樋１を流れる雨水の量が多い場合は一部を筒状体３内を流下させ）、筒状体３の外周面に沿って流れる雨水を筒状体３よりも径の大きい孔を有する排水装置５を介して排水管４に排水されるので、筒状体３の外周面に沿って流下した雨水が垂れ流しにされることなく、排水管４に流され、雨水の量が多くなっても、確実に排水できるものである。
【００６０】
したがって、本発明の流水鑑賞雨樋装置６は、敷地入り口付近の門屋、玄関ポーチ等の付近はもちろん、大量の雨水を流す場所であっても支障なく用いることができる。
【図面の簡単な説明】
【００６１】
【図１】本発明の流水鑑賞雨樋装置の正面断面図である。
【図２】同上の正面図である。
【図３】同上の側面図である。
【図４】同上の平面図である。
【図５】同上の施工状態の斜視図である。
【図６】同上に用いる本体上部を示し、（ａ）は平面図であり、（ｂ）は正面断面図であり、（ｃ）は異なる位置で切断した断面図であり、（ｄ）は下面図である。
【図７】（ａ）は同上の本体上部を上方から見た斜視図であり、（ｂ）は下方から見た斜視図である。
【図８】同上の本体下部を示し、（ａ）は平面図であり、（ｂ）は正面図であり、（ｃ）は正面断面図である。
【図９】同上に用いる着脱下部を示し、（ａ）は平面図であり、（ｂ）は正面断面図であり、（ｃ）は下面図である。
【図１０】（ａ）は同上の着脱下部を下方から見た斜視図であり、（ｂ）は上方から見た斜視図である。
【図１１】同上に用いる排水装置を示し、（ａ）は平面図であり、（ｂ）は断面図である。
【図１２】同上に用いる塵流入防止用カバーを示し、（ａ）は平面図であり、（ｂ）は正面断面図であり、（ｃ）は側面断面図であり、（ｄ）は斜視図である。
【図１３】同上の筒状体の外周面に沿って雨水が流下している際に発生する流紋を示す斜視図である。
【図１４】従来例を示す断面図である。
【符号の説明】
【００６２】
１  軒樋
２  集水装置
３  筒状体
９  本体部
１０  着脱下部
１５  縦樋支持部
１６  排水通路部
２５  集水ガイド部
【図１】
2010084442.tif 000003
【図２】
2010084442.tif 000004
【図３】
2010084442.tif 000005
【図４】
2010084442.tif 000006
【図５】
2010084442.tif 000007
【図６】
2010084442.tif 000008
【図７】
2010084442.tif 000009
【図８】
2010084442.tif 000010
【図９】
2010084442.tif 000011
【図１０】
2010084442.tif 000012
【図１１】
2010084442.tif 000013
【図１２】
2010084442.tif 000014
【図１３】
2010084442.tif 000015
【図１４】
2010084442.tif 000016
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
軒樋の雨水を集めて縦樋に流す集水装置であって、軒樋の排水口に取付ける本体部と、本体部に対して下方から取付け自在で且つ本体部から下方に取り外し自在となった着脱下部とを備え、着脱下部に本体部から流入した雨水をガイドして筒状体よりなる縦樋の外周面に向けて流す集水ガイド部と、周囲が集水ガイド部で囲まれた上記縦樋を嵌挿するための縦樋嵌挿部とを設け、本体部に、上記着脱下部の縦樋嵌挿部に挿通した縦樋の上端部を支持する縦樋支持部と、軒樋からの雨水を着脱下部に設けた集水ガイド部側に流す排水通路部とを設けて成ることを特徴とする集水装置。
【請求項２】
着脱下部に設けた集水ガイド部が、内側に向かった先端側が下となるように傾斜した多数のくし部よりなり、くし部間がスリットとなり且つ多数のくし部の先端で囲まれる部分が筒状体を嵌挿する縦樋嵌挿部となっていることを特徴とする請求項１記載の集水装置。
【請求項３】
多数のくし部は、平面視において内側への突出長さの異なるものが混在していることを特徴とする請求項２記載の集水装置。
【手続補正２】
【補正対象書類名】明細書
【補正対象項目名】０００８
【補正方法】変更
【補正の内容】
【０００８】
上記課題を解決するために本発明に係る集水装置は、軒樋１の雨水を集めて縦樋に流す集水装置であって、軒樋１の排水口に取付ける本体部９と、本体部９に対して下方から取付け自在で且つ本体部９から下方に取り外し自在となった着脱下部１０とを備え、着脱下部１０に本体部９から流入した雨水をガイドして筒状体３よりなる縦樋の外周面に向けて流す集水ガイド部２５と、周囲が集水ガイド部２５で囲まれた上記縦樋を嵌挿するための縦樋嵌挿部２７とを設け、本体部９に、上記着脱下部１０の縦樋嵌挿部２７に挿通した縦樋の上端部を支持する縦樋支持部１５と、軒樋１からの雨水を着脱下部１０に設けた集水ガイド部２５側に流す排水通路部１６とを設けて成ることを特徴とするものである。
【手続補正３】
【補正対象書類名】明細書
【補正対象項目名】０００９
【補正方法】変更
【補正の内容】
【０００９】
このような構成とすることで、軒樋１から集水装置５の排水通路部１６に流入した雨水を集水ガイド部２５により縦樋を構成する筒状体３の外周面側にガイドして流すことで、筒状体３の外周面に沿って雨水を流下させることができる。また、集水装置５内において集水ガイド部２５に塵が目詰まりしても、着脱下部１０が軒樋１に取付けられる本体部９に対して下方から取付け自在で且つ本体部９から下方に取り外し自在であるから、着脱下部１０を本体部９から下方に取り外すことで、簡単に集水ガイド部２５に溜まった塵を除去して目詰まりを解消できる。
【手続補正４】
【補正対象書類名】明細書
【補正対象項目名】００１４
【補正方法】変更
【補正の内容】
【００１４】
本発明は、上記のように、本体部に筒状体よりなる縦樋の上端部を支持する縦樋支持部と、軒樋からの雨水を集水ガイド部側に流す排水通路部とを備え、着脱下部に排水通路部から流入した雨水をガイドして筒状体の外周面に向け流す集水ガイド部を設けてあるので、軒樋から流れる雨水を集水ガイド部でガイドして飛散を防止しながら筒状体の外周面に確実に流し、雨水が筒状体に沿って流下する様子を鑑賞できるようにするための集水装置を提供できる。また、集水ガイド部を有する着脱下部が軒樋に取付けられる本体部に対して下方から取付け自在で且つ本体部から下方に取り外し自在であるため、集水装置内で塵が詰まっても、着脱下部を本体部に対して外すことで、簡単に掃除ができる。